(57)【要約】本発明は、カップカバーと、そのようなカップカバー付きカップとを提供する。カップカバーは、収容空間（２００）が設けられたカップカバー本体（１０）であって、収容空間（２００）内にガイドチャネル（１００）が設けられた、カップカバー本体（１０）と、収容空間（２００）内に少なくとも一部が配設されるハンドル（３０）とを備える。ハンドル（３０）の、収容空間（２００）の内側にある部分が、ガイドチャネル（１００）内をスライドすることができる。ハンドル（３０）がカバー本体（１０）を貫通するとともにガイドチャネル（１００）に沿って移動可能であり、したがって、ハンドル（３０）の長さを調整することができる。本発明の目的は、従来技術におけるハンドル（３０）が所定の軌道に従って移動できないという状況によって生じる、使用上の不都合さという問題を解決することである。
2020513381.tif 000002
【特許請求の範囲】
【請求項１】
カップカバーであって、
内側に収容空間（２００）が設けられたカバー本体（１０）であって、前記収容空間内にガイドチャネル（１００）が設けられた、カバー本体（１０）と、
前記収容空間（２００）内に少なくとも一部が配設されるハンドル（３０）であって、前記ハンドル（３０）の、前記収容空間（２００）内に配設される部分が、前記ガイドチャネル（１００）内をスライド可能であり、前記ハンドル（３０）が前記カバー本体（１０）を貫通するとともに前記ガイドチャネル（１００）に沿って移動可能であり、それによって、前記カップカバーの外側に配設される前記ハンドル（３０）の長さを調整することができるようになっている、ハンドル（３０）と
を備える、カップカバー。
【請求項２】
前記カバー本体（１０）は、支持プラットフォーム（１１）と、前記収容空間（２００）を覆う上蓋（２０）とを備え、前記収容空間（２００）は、前記支持プラットフォーム（１１）と前記上蓋（２０）との間に位置し、前記上蓋（２１）の内壁にリブ（２１）が設けられ、前記リブ（２１）と前記支持プラットフォーム（１１）とが前記ガイドチャネル（１００）を成すことを特徴とする請求項１に記載のカップカバー。
【請求項３】
前記支持プラットフォーム（１１）上に制限部（４０）が設けられ、前記カップカバーは、それぞれ前記制限部（４０）の２つの側に構成された２つのガイドチャネル（１００）を備え、前記ハンドル（３０）は閉環状ストラップであり、それは前記制限部上に取り巻かれ、また前記制限部（４０）によって止めることができ、前記ハンドル（３０）の、前記収容空間（２００）内に配設される前記部分はそれぞれ、前記ガイドチャネル（１００）内にスライド可能に配設されることを特徴とする請求項２に記載のカップカバー。
【請求項４】
前記カバー本体（１０）は、支持プラットフォーム（１１）と、前記収容空間（２００）を覆う上蓋（２０）とを備え、前記収容空間（２００）は、前記支持プラットフォーム（１１）と前記上蓋（２０）との間に位置し、前記支持プラットフォーム（１１）に、前記収容空間（２００）に向かって突出するリブが設けられ、前記上蓋（２０）と前記支持プラットフォーム（１１）の前記リブとが前記ガイドチャネル（１００）を成すことを特徴とする請求項１に記載のカップカバー。
【請求項５】
前記上蓋（２０）の内壁上に制限部（４０）が設けられ、前記カップカバーは、それぞれ前記制限部（４０）の反対側に構成された２つのガイドチャネル（１００）を備え、前記ハンドル（３０）は閉環状ストラップであり、それは前記制限部上に取り巻かれ、また前記制限部（４０）によって止めることができ、前記ハンドル（３０）の、前記収容空間（２００）内に配設される前記部分はそれぞれ、前記ガイドチャネル（１００）内にスライド可能に配設されることを特徴とする請求項４に記載のカップカバー。
【請求項６】
前記カバー本体（１０）は、支持プラットフォーム（１１）と、前記収容空間（２００）を覆う上蓋（２０）とを備え、前記収容空間（２００）は、前記支持プラットフォーム（１１）と前記上蓋（２０）との間に位置し、前記ガイドチャネル（１００）は、前記支持プラットフォーム（１１）の上面上、または前記上蓋（２０）の内壁上に構成された溝であることを特徴とする請求項１に記載のカップカバー。
【請求項７】
制限部（４０）を有し、前記制限部（４０）は前記収容空間（２００）内に構成され、前記ハンドル（３０）は前記制限部（４０）上に取り巻かれ、また前記制限部（４０）によって止めることができることを特徴とする請求項６に記載のカップカバー。
【請求項８】
前記カバー本体（１０）は、前記収容空間（２００）を形成する側壁（１２）と、前記側壁（１２）と接続された上蓋（２０）とを備え、前記上蓋（２０）は斜面を備え、それは前記側壁（１２）の内部表面に、前記斜面と前記側壁（１２）との間の対応する位置に溝が形成されるように接続され、前記ハンドル（３０）は前記溝から前記上蓋（２０）を貫通することを特徴とする請求項１に記載のカップカバー。
【請求項９】
前記カバー本体（１０）は、前記収容空間（２００）を形成する側壁（１２）と、前記側壁（１２）と接続された上蓋（２０）とを備え、前記上蓋（２０）の上部表面が、面一表面であるか、または前記上蓋（２０）の端縁部のところに斜面を備え、前記斜面は前記側壁（１２）の上端部と位置整合および接続されることを特徴とする請求項１に記載のカップカバー。
【請求項１０】
前記収容空間（２００）内に配設され、前記収容空間（２００）に沿ってスライド可能なスライダ（８０）であって、前記ハンドルは前記スライダと接続される、スライダ（８０）と、
その２つの端部がそれぞれ、前記スライダ（８０）および前記カップカバー本体（１０）と接続される、弾性リセット部材（５０）と
をさらに備える請求項１に記載のカップカバー。
【請求項１１】
支持プラットフォーム（１１）と、前記収容空間（２００）を囲む上蓋（２０）とを備え、前記収容空間（２００）は、前記支持プラットフォーム（１１）と前記上蓋（２０）との間に位置し、前記カップカバー本体（１０）は、前記支持プラットフォーム（１１）と接続されたガイド部（１３）を備え、前記スライダ（８０）は前記ガイド部（１３）内をスライドし、前記ガイド部（１３）の２つの側壁の、前記支持プラットフォーム（１１）から離れたそれぞれの端部にそれぞれ、互いに面するガイドブロック（１３１）が設けられ、前記ガイドブロック（１３１）は前記スライダ（８０）の上部表面を圧迫する請求項１０に記載のカップカバー。
【請求項１２】
支持プラットフォーム（１１）と、前記収容空間（２００）を囲む上蓋（２０）とを備え、前記収容空間（２００）は、前記支持プラットフォーム（１１）と前記上蓋（２０）との間にあり、前記カップカバー本体（１０）は、前記上蓋（２０）と接続されたガイド部（１３）を含み、前記ガイド部（１３）に、その２つの端部の中を延びるガイド溝が設けられ、前記スライダは前記ガイド溝内をスライドする請求項１０に記載のカップカバー。
【請求項１３】
前記カップカバー本体（１０）は、ガイド部（１３）を備え、前記ガイド部（１３）は、前記カップカバー本体（１０）の側壁（１２）を内向きに拡張することによって形成されたリブであり、前記スライダ（８０）の側壁に前記リブと合致する第１の溝が設けられ、前記スライダ（８０）は前記リブに沿ってスライドする請求項１０に記載のカップカバー。
【請求項１４】
前記カップカバー本体（１０）は、支持プラットフォーム（１１）と、前記収容空間（２００）を囲む上蓋（２０）とを備え、前記収容空間（２００）は、前記支持プラットフォーム（１１）と前記上蓋（２０）との間にあり、前記カップカバー本体（１０）は、前記支持プラットフォーム（１１）の上部表面上または前記上蓋（２０）の内壁上に形成された突出ガイドウェイであるガイド部（１３）をさらに備え、前記突出ガイドウェイと合致するガイド溝が、前記スライダ（８０）の底部表面または上部表面上に形成され、前記スライダ（８０）は前記突出ガイドウェイに沿ってスライドする請求項１０に記載のカップカバー。
【請求項１５】
前記カップカバー本体（１０）は、側壁（１２）と、前記側壁（１２）と接続された上蓋（２０）とを備え、前記上蓋（２０）は傾斜表面を備え、それは前記側壁（１２）の内部表面に、前記傾斜表面と前記側壁（１２）との間の対応する位置に第２の溝が形成されるように接続され、前記ハンドル（３０）は前記第２の溝から前記上蓋（２０）を貫通する請求項１０に記載のカップカバー。
【請求項１６】
前記弾性リセット部材（５０）はばねであり、前記カップカバー本体（１０）はクラスプ（１１１）を備え、前記スライダ（８０）は、前記クラスプ（１１１）と対向して構成された空洞を備え、前記ばねの一方の端部が前記クラスプ（１１１）を取り巻き、前記ばねの他方の端部が前記空洞内に取り付けられる請求項１０に記載のカップカバー。
【請求項１７】
前記ハンドル（３０）は閉環状ストラップであり、前記スライダ（８０）は取付けチャネルを有し、前記環状ストラップは、前記チャネルを貫通し、前記スライダ（８０）にぶつかって止まることができる請求項１０に記載のカップカバー。
【請求項１８】
前記収容空間は、スライドウェイ、および前記スライドウェイと連通するハンドル通路を備え、前記カップカバーは、
前記スライドウェイと連通する長孔（６１）と、
前記カップカバー本体の内側に配置され、前記スライドウェイに沿ってスライド可能なスライダ（８０）であって、前記長孔（６１）を貫通して、前記カップカバー本体（１０）から少なくとも部分的に露出する、スライダ（８０）と
をさらに備え、
前記ハンドル（３０）の第１の端部が前記スライダ（８０）と接続され、前記ハンドル（３０）の第２の端部が、前記ハンドル通路を貫通した後に前記カップカバー本体（１０）から露出する請求項１に記載のカップカバー。
【請求項１９】
前記スライドウェイは前記長孔（６１）よりも幅広く、前記スライドウェイと前記長孔（６１）とを組み合わせた断面が逆「Ｔ」形を成し、前記スライダは「Ｔ」形のものであり、前記スライダ（８０）は、前記スライドウェイにスライド可能にはめ込まれる第１のストッパセクション（８０１）と、前記第１のストッパセクション（８０１）と接続された接続セクション（８０２）とを含み、前記接続セクション（８０２）は、前記長孔（６１）を貫通した後に前記カップカバー本体（１０）の上部表面から露出する請求項１８に記載のカップカバー。
【請求項２０】
前記接続セクション（８０２）の、前記第１のストッパセクション（８０１）から離れた端部のところに、第２のストッパセクション（８０３）が設けられ、前記第２のストッパセクション（８０３）の下端表面が、前記カップカバー本体（１０）の上部表面と接触し、前記スライダ（８０）と一緒に前記カップカバー本体（１０）の上部表面に沿ってスライドすることが可能である請求項１８に記載のカップカバー。
【請求項２１】
前記スライドウェイの断面が逆「Ｔ」形のものであり、前記スライドと前記長孔（６１）とを組み合わせた断面が「工」形をとり、前記スライダ（８０）の両側方表面がスライド溝を有し、前記スライド溝は、前記スライドウェイの狭幅の上部とスライド可能に係合され、前記スライダ（８０）の上部表面が前記長孔（６１）内に収容される請求項１８に記載のカップカバー。
【請求項２２】
前記長孔（６１）は、前記カップカバー本体（１０）の上部表面を貫通する請求項１８に記載のカップカバー。
【請求項２３】
前記カップカバー本体（１０）は、上蓋（２０）と支持プレートとを備え、前記長孔（６１）は、前記上蓋（２０）上に構成され、前記上蓋（２０）の上部表面を貫通し、前記上部プレートの、前記長孔（６１）に沿って位置付けられた両側壁が、内向きに前記カップカバー本体（１０）に向かって曲がり、延びて２本の止めアーム（２０１）を成し、前記支持プレートは、前記２本の止めアーム（２０１）に取り外し可能に固定され、前記支持プレートと前記２本の止めアーム（２０１）とが前記スライドウェイを成す請求項１８に記載のカップカバー。
【請求項２４】
前記カップカバー本体（１０）は、上蓋（２０）と接続された側壁（１２）を備え、前記ハンドル通路は前記側壁（１２）を貫通する請求項１８に記載のカップカバー。
【請求項２５】
前記ハンドル（３０）は平坦シート形状のものであり、前記ハンドル（３０）の第１の端部内に貫通孔が構成され、前記貫通孔は前記スライダ（８０）上に取り巻かれ、前記ハンドル（３０）の第２の端部内にカラーが構成される請求項１８に記載のカップカバー。
【請求項２６】
前記ハンドル（３０）は平坦環状形状のものであり、前記ハンドル（３０）内に２つの貫通孔が隣接して構成され、前記ハンドル（３０）を折り畳んだ後に、それらは位置整合されて、前記スライダ（８０）上に一緒に取り巻かれ得、前記ハンドル（３０）は、折り畳んで前記スライドウェイおよび前記ハンドル通路を連続して貫通した後に、前記カップカバー本体（１０）から露出する請求項１８に記載のカップカバー。
【請求項２７】
カップカバーであって、
収容空間（２００）が設けられたカップカバー本体（１０）と、
前記収容空間（２００）内に配設され、前記収容空間（２００）に沿ってスライド可能なスライダ（８０）と、
前記スライダ（８０）と接続され、前記カップカバー本体（１０）を貫通するハンドル（３０）と、
その２つの端部がそれぞれ、前記スライダ（２０）および前記カップカバー本体（１０）と接続される、弾性リセット部材（５０）と
を備える、カップカバー。
【請求項２８】
カップカバーであって、
スライドウェイ、および前記スライドウェイと連通する長孔（６１）が構成された、カップカバー本体（１０）と、
前記カップカバー本体（１０）の内側に配置された、前記スライドウェイに沿ってスライドすることの可能なスライダ（８０）であって、前記長孔（６１）を貫通して、前記カップカバー本体（１０）から少なくとも部分的に露出する、スライダ（８０）と、
ハンドル（３０）と、
前記カップカバー本体（１０）内に構成された前記スライドウェイと連通するハンドル通路と
を備え、
前記ハンドル（３０）の第１の端部が前記スライダ（８０）と接続され、前記ハンドル（３０）の第２の端部が、前記ハンドル通路を貫通した後に前記カップカバー本体（１０）から露出する、カップカバー。
【請求項２９】
カップカバーとカップ本体とを備えるカップであって、前記カップカバーは請求項１乃至２８のいずれか一項に記載のものである、カップ。
【発明の詳細な説明】
【技術分野】
【０００１】
本発明は、カップの技術分野に関し、詳細には、カップカバーおよびカップカバー付きカップに関する。
【背景技術】
【０００２】
カップは、人々の日常生活および旅行において、非常に重要な役割を果たしている。使用者の使用を助けるべく、カップカバー上にハンドルが設けられ、そのことがカップの使用を大いに助けている。例えば、使用者が滑りやすいカップまたは熱いカップをつかむときに、ハンドルがあれば役に立つ。従来技術におけるハンドルは、使用の際にカップカバーから引き出し、使用していないときには、その中に押し戻すことができる。しかし、このハンドルには、カップカバーの中を移動するときの決まったトラックがなく、そのことがハンドルの使用上の不都合さを生じさせている。さらに、従来技術では、ハンドルは使用後にその元の位置にとどまり、その結果、カップを使用しないときにカップの外側に残っているハンドルが長いので、使用者が通常はハンドルをカップカバーに押し込む必要があるか、またはハンドル構造が多数の付属部品を有し、それにより、その加工が困難になっている。
【発明の概要】
【課題を解決するための手段】
【０００３】
本発明の目的は、従来技術におけるハンドルが所定の軌道に従って移動できないという状況によって生じる、使用上の不都合さという問題を解決すべく、カップカバーおよびカップカバー付きカップを提供することである。
【０００４】
本発明の別の目的は、従来技術のカップカバーのハンドルが使用後にカップカバーに自動的に後退することができないという問題を解決すべく、カップカバーおよびカップカバー付きカップを提供することである。
【０００５】
本発明の別の目的は、従来技術のカップカバーのハンドル構造が複雑かつ加工が困難であるという問題を解決すべく、カップカバーおよびカップカバー付きカップを提供することである。
【０００６】
本発明の一態様によれば、カップカバーであって、
収容空間が設けられたカップカバー本体であって、収容空間内にガイドチャネルが設けられた、カップカバー本体と、
収容空間内に少なくとも一部が配設されるハンドルであって、収容空間の内側に配設されるハンドルが、ガイドチャネル内をスライド可能であり、ハンドルがカバー本体を貫通するとともにガイドチャネルに沿って移動可能であり、それによって、カップの外側のハンドルの長さを調整することができるようになっている、ハンドルと
を備える、カップカバーが提供される。
【０００７】
使用者がカップカバー（またはカップ）をハンドルによって保持するとき、ハンドルは収容空間から引き出され、収容空間から外にガイドチャネルに沿って移動する。このようにして、ハンドルが収容空間から外に移動されるとき、ガイドチャネルのため、ランダムな移動は起こらない。使用者がハンドルを使い終わり、それを収容空間に押し込むとき、ハンドルは、ガイドチャネルの軌道に従って収容空間に移動し、したがってガイドチャネルのため、ランダムな移動も起こらない。これにより、従来技術におけるハンドルが所定の軌道に従って移動できないという状況によって生じる、使用上の不都合さという問題を解決することが可能になる。
【０００８】
ハンドルは、ガイドチャネル内に直接的に配置されてよい。例えば、ハンドルは、ガイドチャネルの内部表面と接触し、ガイドチャネルの内部表面によって直接的に案内されてよい。ハンドルは、追加要素を介して、例えば、ガイドチャネル内に直接的に配置されガイドチャネル内を案内されるスライダを介して、ガイドチャネル内を案内されてもよい。ハンドルは、スライダに固定されてよく、それにより、スライダによってガイドチャネル内を案内される。一変形形態では、ハンドルは、収容空間のいくつかの位置では直接的に、かつ収容空間の他のいくつかの位置ではスライダを介して間接的に、案内されてよい。
【０００９】
さらに、カバー本体は、支持プラットフォームと、収容空間を覆う上蓋とを備え、収容空間は、支持プラットフォームと上蓋との間に位置し、上蓋の内壁にリブが設けられ、リブと支持プラットフォームとがガイドチャネルを成してよい。
【００１０】
さらに、支持プラットフォームに制限部が設けられ、カップカバーは、それぞれ制限部の２つの側に構成された２つのガイドチャネルを備えてよい。ハンドルは閉環状ストラップであり、それは制限部を取り巻き（sheathe）、また制限部によって止めることができ、ハンドルの、収容空間内に配設される部分がそれぞれ、ガイドチャネル内にスライド可能に配設される。
【００１１】
さらに、カバー本体は、支持プラットフォームと、収容空間を覆う上蓋とを備え、収容空間は、支持プラットフォームと上蓋との間に位置し、支持プラットフォームに、収容空間に向かって突出するリブが設けられ、上蓋と支持プラットフォームのリブとがガイドチャネルを成してよい。
【００１２】
さらに、上蓋の内壁に制限部が設けられ、２つのガイドチャネルがそれぞれ、制限部の２つの側に構成され、ハンドルは閉環状ストラップであり、それは制限部を取り巻き、また制限部によって止めることができ、ハンドルの、収容空間内に配設される部分がそれぞれ、ガイドチャネル内にスライド可能に配設されてよい。
【００１３】
さらに、カバー本体は、支持プラットフォームと、収容空間を覆う上蓋とを備え、収容空間は、支持プラットフォームと上蓋との間に位置し、ガイドチャネルは、支持プラットフォームの上面上、または上蓋の内壁上に構成された溝であってよい。
【００１４】
さらに、カップカバーは制限部を有し、制限部は収容空間内に構成され、ハンドルは制限部を取り巻き、また制限部によって止めることができてよい。
【００１５】
さらに、カバー本体は、側壁と、側壁と接続された上蓋とを備え、上蓋は斜面を備え、それは側壁の内部側に、斜面と側壁との間の対応する位置に溝が形成されるように接続され、ハンドルはこの溝から上蓋を貫通してよい。
【００１６】
さらに、カバー本体は、側壁と、側壁と接続された上蓋とを備え、上蓋の上部表面が平坦表面であるか、または上蓋の縁部が斜面を備え、それは側壁の上端部と位置整合および接続されてよい。
【００１７】
本発明は、カップカバーとカップ本体とを備えるカップであって、カップカバーは上で定めた通りである、カップも提供する。
【００１８】
本発明は、カップカバーであって、収容空間が設けられたカップカバー本体と、収容空間内に配設され、収容空間に沿ってスライド可能なスライダと、スライダと接続され、カップカバー本体を貫通するハンドルと、その２つの端部がそれぞれ、スライダおよびカップカバー本体と接続される、弾性リセット部材（elastic reset member）とを備える、カップカバーも提供する。
【００１９】
収容空間内でスライダがたどる経路が、スライダの、したがってハンドルのガイドチャネルを画定することができる。
【００２０】
カップカバー本体の収容空間にハンドルが設けられ、したがって使用者は、ハンドルを使ってカップカバー（またはカップ）を持ち上げることができ、この過程の間、ハンドルは弾性リセット部材に力を加え、したがって、収容空間の外側に残っているハンドルの長さが延ばされ、それにより、使用者がハンドルを保持しやすくなる。使用者がハンドルを下ろすと、弾性リセット部材がハンドルに、それを収容空間に後退させるように力を加え、ハンドルは収容空間に後退する。これにより、従来技術のカップカバーのハンドルが使用後にカップカバーに自動的に後退することができないという問題を解決することが可能になる。
【００２１】
さらに、カップカバー本体は、支持プラットフォームと、収容空間を囲む上蓋とを備え、収容空間は、支持プラットフォームと上蓋との間に位置し、カップカバー本体は、支持プラットフォームと接続されたガイド部を備え、スライダはこのガイド部内をスライドし、ガイド部の２つの側壁の、支持プラットフォームから離れた端部にそれぞれ、互いに面するガイドブロックが設けられ、ガイドブロックはスライダの上部表面を圧迫してよい。
【００２２】
さらに、カップカバー本体は、支持プラットフォームと、収容空間を囲む上蓋とを含み、収容空間は、支持プラットフォームと上蓋との間にあり、カップカバー本体は、上蓋と接続されたガイド部を含んでよく、ガイド部に、その２つの端部の中を延びるガイド溝が設けられ、スライダはこのガイド溝内をスライドする。
【００２３】
さらに、カップカバー本体は、ガイド部を備え、ガイド部は、カップカバー本体の側壁を内向きに拡張することによって形成されたリブであり、スライダの側壁にこのリブと合致する第１の溝が設けられ、スライダはこのリブに沿ってスライドしてよい。
【００２４】
さらに、カップカバー本体は、支持プラットフォームと、収容空間を囲む上蓋とを備え、収容空間は、支持プラットフォームと上蓋との間にあり、カップカバー本体は、支持プラットフォームの上部表面上または上蓋の内壁上に形成された突出ガイドウェイ（protruding guideway）であるガイド部をさらに備え、突出ガイドウェイと合致するガイド溝が、スライダの底部表面または上部表面上に形成され、スライダはこの突出ガイドウェイに沿ってスライドしてよい。
【００２５】
さらに、カップカバー本体は、側壁と、側壁と接続された上蓋とを備え、上蓋は傾斜表面を備え、それは側壁の内部表面に、傾斜表面と側壁との間の対応する位置に第２の溝が形成されるように接続され、ハンドルはこの第２の溝から上蓋を貫通してよい。
【００２６】
さらに、カップカバー本体は、側壁と、側壁と接続された上蓋とを備え、上蓋の上部表面が平坦表面であるか、または上蓋の縁部が傾斜表面を備え、それは側壁の上端部と位置整合および接続されてよい。
【００２７】
さらに、弾性リセット部材はばねであり、カップカバー本体はクラスプ（clasp）を備え、スライダは、クラスプと対向して構成された空洞を備え、ばねの一方の端部がクラスプを取り巻き、ばねの他方の端部が空洞内に取り付けられてよい。
【００２８】
さらに、ハンドルは閉環状ストラップとすることができ、スライダは取付けチャネルを有し、ストラップは、このチャネルを貫通し、スライダにぶつかって止まることができる。
【００２９】
本発明は、カップカバーとカップ本体とを備えるカップであって、カップカバーは上で定めた通りである、カップも提供する。
【００３０】
本発明は、カップカバーであって、スライドウェイ、およびスライドウェイと連通する長孔が構成された、カップカバー本体と、カップカバー本体の内側に配置された、スライドウェイに沿ってスライドすることの可能なスライダであって、長孔を貫通して、カップカバー本体から少なくとも部分的に露出する、スライダと、ハンドルと、カップカバー本体内に構成されたスライドウェイと連通するハンドル通路とを備え、ハンドルの第１の端部がスライダと接続され、ハンドルの第２の端部が、ハンドル通路を貫通した後にカップカバー本体から露出する、カップカバーも提供する。
【００３１】
スライドウェイが、スライダの、したがってハンドルのガイドチャネルを画定することができる。
【００３２】
本発明のいくつかの態様によれば、ハンドルの第２の端部が、ハンドル通路を貫通した後にカップカバー本体から露出し、それによって、使用者はハンドルを容易に手に取り、または戻すことができるようになっている。ハンドルを使用してカップカバーまたはカップを持ち上げるとき、使用者がハンドルを持ち上げると、次いでカップカバーまたはカップが、重力の作用下で、スライダをスライドウェイに沿って長孔内をスライドさせる。スライダが長孔の端部に達すると、カップカバー本体がスライダを止めることができる。使用後、使用者はスライダを、カップカバー本体から露出したその部分によって、長孔の他方の端部まで押すことができる。スライダおよびハンドルのみが上記の機能を達成するために必要である。これにより、従来技術のカップカバーのハンドル構造が複雑かつ加工が困難であるという問題を解決することが可能になる。
【００３３】
さらに、スライドウェイは長孔よりも幅広く、スライドウェイと長孔とを組み合わせた断面が逆「Ｔ」形を成してよく、スライダは「Ｔ」形をとり、スライダは、スライドウェイにスライド可能にはめ込まれる第１のストッパセクションと、第１のストッパセクションと接続された接続セクションとを含み、接続セクションは、長孔を貫通した後にカップカバー本体の上部表面から露出する。
【００３４】
さらに、接続セクションの、第１のストッパセクションから離れた端部のところに、第２のストッパセクションが設けられ、第２のストッパセクションの下端表面が、カップカバー本体の上部表面と接触し、スライダと一緒にカップカバー本体の上部表面に沿ってスライドすることが可能であってよい。
【００３５】
さらに、スライドウェイの断面が逆「Ｔ」形のものであり、スライドウェイと長孔とを組み合わせた断面が「工」形をとり、スライダの両側方表面がスライド溝を有し、スライド溝は、スライドウェイの狭幅の上部とスライド可能に係合され、スライダの上部表面が長孔内に収容されてよい。
【００３６】
さらに、長孔は、カップカバー本体の上部表面を貫通してよい。
【００３７】
さらに、カップカバー本体は、上蓋と支持プレートとを備え、長孔は、上蓋上に構成され、上蓋の上部表面を貫通し、上部プレートの、長孔に沿って位置付けられた両側壁が、内向きにカップカバー本体に向かって曲がり、延びて２本の止めアーム（stop arm）を成し、支持プレートは、この２本の止めアームに取り外し可能に固定され、支持プレートと２本の止めアームとがスライドウェイを成してよい。
【００３８】
さらに、カップカバー本体は、上蓋と接続された側壁を備え、ハンドル通路はこの側壁を貫通してもよい。
【００３９】
さらに、ハンドルは平坦シート形状のものであり、ハンドルの第１の端部内に貫通孔が構成され、貫通孔はスライダ内に取り巻かれ、ハンドルの第２の端部内にカラーが構成されてよい。
【００４０】
さらに、ハンドルは平坦環状形状のものであってよく、ハンドル内に２つの貫通孔が隣接して構成され、ハンドルを折り畳んだ後に、それらは位置整合されて、スライダ上に一緒に取り巻かれ得、ハンドルは、折り畳んでスライドウェイおよびハンドル通路を連続して貫通した後に、カップカバー本体から露出する。
【００４１】
本発明の別の態様に従って、カップ本体と上述したカップカバーとを備えるカップが提供され得る。
【図面の簡単な説明】
【００４２】
本出願の一部を成す、説明の添付図面は、本発明のさらなる理解をもたらすために使用されるものである。本発明の実施形態およびそれらの説明は、本発明について解説するために使用されるものであり、本発明の不適切な限定にはならない。
【図１】本発明のカップカバーの実施形態の概略上面図である。
【図２】図１のカップカバーのＡ−Ａ方向の概略断面図である。
【図３】図２のカップカバーのＭの局所拡大概略図である。
【図４】図２のカップカバーのＮの局所拡大概略図である。
【図５】図２のカップカバーのガイドチャネルの拡大概略図である。
【図６】図１のカップカバーのＢ−Ｂ方向の概略断面図である。
【図７】本発明のカップカバーの別の実施形態の概略上面図である。
【図８】図７のカップカバーの概略断面図Ａ−Ａである。
【図９】図８のカップカバーのＭの局所拡大概略図である。
【図１０】図７のカップカバーの概略断面図Ｂ−Ｂである。
【図１１】図１０のカップカバーのＮの局所拡大概略図である。
【図１２】本発明のカップカバーの別の実施形態の概略正面図である。
【図１３】図１２のカップカバーの概略上面図である。
【図１４】図１３のカップカバーの概略断面図Ａ−Ａである。
【図１５】図１３のカップカバーの概略断面図Ｂ−Ｂである。
【００４３】
上記の図面には、下記の参照番号、
１０、カップカバー本体；１１、支持プラットフォーム；１１１、クラスプ；１２、側壁；１３、ガイド部；１３１、ガイドブロック；１５、クラスプ部；２０、上蓋；２０１、止めアーム；２１、リブ；３０、ハンドル；４０、制限部；５０、弾性リセット部材；６１、長孔；８０、スライダ；８０１、第１のストッパセクション；８０２、第２のストッパセクション；８０３、接続セクション；８０４、取付けポート；１００、ガイドチャネル；２００、収容空間、が含まれる。
【発明を実施するための形態】
【００４４】
本出願の実施形態およびそれらの特徴は、矛盾なく互いに組み合わされ得ることに留意されたい。本発明については下で、添付図面を参照し、実施形態に即して、詳細に説明する。
【００４５】
以下の詳細な説明は例示的であり、本出願のさらなる解説を行うことが意図される、ということに留意されたい。別段の指示がない限り、本明細書で使用されるあらゆる技術用語および科学用語は、本出願にふさわしい当業者によって一般に理解されるものと同じ意味を有する。
【００４６】
説明しやすいように、「上の（on）」、「の上の（above）」、「上表面上の（on the upper surface）」、「上方の（upper）」などの相対的空間用語が、図面に示すデバイスまたは特徴物の、他のデバイスまたは特徴物との空間的位置関係を説明するために使用される。相対的空間用語は、図面に描いた向きに加えて、使用または動作の際のデバイスのさまざまな向きも包含することが意図される、ということを理解されたい。例えば、図面中のデバイスが反転される場合、「他のデバイスもしくは構造の上の」または「他のデバイスもしくは構造上の」と説明されたデバイスは、「他のデバイスもしくは構造下の」または「他のデバイスもしくは構造の下の」と位置付けられることになる。デバイスは、他の方法を使って（９０°回転させて、または他の向きにあることによって）位置付けられてもよく、本明細書において使用される相対的空間用語に対する、対応する解釈がこれに伴う。
【００４７】
ここで、本発明による実施形態について、添付図面を参照してより詳細に説明する。しかし、これらの実施形態は、多くの異なる形態を有しており、本明細書に記載した実施形態に限定されるものと解釈すべきではない。これらの実施形態は、本発明の網羅的で完全な開示を可能にするために、またこれらの実施形態の概念を当業者に十分に伝えるために提供されている、ということを理解されたい。図面を見やすくする目的で、層およびエリアの厚さが増大されており、また同じデバイスを示すために同じ参照番号が使用されており、したがってそれらの説明は割愛される。
【００４８】
図１から図３に示すように、第１の実施形態のカップカバーは、カップカバー本体１０と、ハンドル３０とを含む。カップカバー本体１０はその中に収容空間２００を備え、収容空間２００はその中にガイドチャネル１００を有する。ハンドル３０は、収容空間２００内に少なくとも一部が配設される。収容空間２００の内側にあるハンドル３０は、ガイドチャネル１００内をスライドすることができる。ハンドル３０がカバー本体１０を貫通するとともにガイドチャネル１００に沿って移動可能であり、それによって、カップの外側のハンドル３０の長さを調整することができるようになっている。
【００４９】
第１の実施形態によれば、使用者がカップカバー（またはカップ）をハンドル３０によって保持するとき、ハンドル３０は収容空間２００からガイドチャネル１００に沿って引き出される。このようにして、ハンドル３０が収容空間２００から外に移動しているとき、ランダムな移動は起こらない。使用者がハンドル３０を使い終わり、それを収容空間２００に押し込むとき、それは、どんなランダムな移動もなくガイドチャネル１００の軌道に従って収容空間２００内に移動する。これにより、従来技術におけるハンドルが所定の軌道に従って移動できないという状況によって生じる、使用上の不都合さという問題を解決することが可能になる。
【００５０】
図２から図６に示すように、第１の実施形態によれば、カバー本体１０は、支持プラットフォーム１１と、収容空間２００を覆う上蓋２０とを備え、収容空間２００は、支持プラットフォーム１１と上蓋２０との間に位置する。上蓋２０の内壁にリブ２１が設けられ、リブ２１と支持プラットフォーム１１とがガイドチャネル１００を成す。上記の構造には、小型であり、簡単に加工でき、かかる製造コストが比較的低い、という利点がある。具体的には、上蓋２０のリブ２１は、下方に突出し、ハンドル３０の軌道方向に沿って延び、リブ２１と支持プラットフォーム１１との間の間隙が、ハンドル３０の高さと合致している。これにより、ハンドル３０が高さ方向に無秩序に積み重なることが回避され、ハンドル３０の収縮が比較的スムーズになる。ハンドル３０の断面が円形であるとき、リブ２１と支持プラットフォーム１１との間の間隙はハンドル３０の直径に等しいことに留意されたい。
【００５１】
図２から図５に示すように、第１の実施形態によれば、支持プラットフォーム１１上に制限部４０が設けられる。２つのガイドチャネル１００がそれぞれ、制限部４０の２つの側に構成される。ハンドル３０は閉環状ストラップであり、それは制限部４０を取り巻き、また制限部４０によって止めることができる。また、ハンドル３０の、収容空間２００内に配設される部分がそれぞれ、ガイドチャネル１００内をスライドすることができる。制限部４０を設けることにより、ハンドル３０がカップカバーの収容空間２００から完全に抜け出てしまいかねないという状況が回避される。
【００５２】
図２から図６に示すように、第１の実施形態によれば、ハンドル３０は閉環状ストラップである。制限部４０は、縦プレートおよび横プレートを含むＬ形である。縦プレートは、第１の端部、および第１の端部とは反対側にある第２の端部を備える。縦プレートの第１の端部は支持プラットフォーム１１と接続され、一方、縦プレートの第２の端部は横プレートと接続される。この類の構造は、簡単に加工でき、加工コストを下げる。特に、縦プレートと支持プラットフォーム１１とは、垂直に接続される。実際のところ、当技術分野において知られるように、制限部４０は支持プラットフォーム１１と一体化することができる。
【００５３】
図１、図２、および図６に示すように、第１の実施形態によれば、上蓋２０に２つの貫通孔が設けられ、環状ストラップがそれらを貫通する。具体的には、２つの貫通孔は隔置され、したがって、環状ストラップは全体的に収容空間２００に入るというわけではない。環状ストラップが全体的に収容空間２００に入る場合、それにより後の使用に困難をきたし、すなわち、次の使用の際に収容空間２００からロープを引き出すことが困難になり得る。
【００５４】
図１および図２に示すように、第１の実施形態によれば、カップカバー本体１０の内部に凸状縁部が設けられ、上蓋２０の円周表面に、この凸状縁部と合致する溝が設けられ、それによって、カップカバー本体１０上に上蓋２０が位置固定される。この構造の上蓋２０とカップカバー本体１０を組立ておよび分解するとき、本発明には、効率が高く、他の留め具を接続する必要がない、という利点があり、それにより、加工コストが抑えられる。実際のところ、当技術分野において知られるように、上蓋２０とカップカバー本体１０は、ねじなどの留め具によって接続することができる。
【００５５】
図１および図２に示すように、第１の実施形態によれば、支持プラットフォーム１１は支持プレートであり、それが水平面部と、斜面部とを備え、水平面部と上蓋２０とが収容空間２００を成し、斜面部が水平面部よりも高所にある。一方では、この類の構造は、カップカバーの強度を確実なものにし、他方では、カップカバー内に収容空間２００をもたらす。斜面部と上蓋２０との間の距離は近く、それによって、支持プラットフォーム１１と上蓋２０がどちらも、カップカバーを強固にすることが可能である。
【００５６】
第２の実施形態のカップカバーは第１の実施形態とは、カバー本体１０が、支持プラットフォーム１１と、収容空間２００を覆う上蓋２０とを備え、収容空間２００が、支持プラットフォーム１１と上蓋２０との間に位置する、という点で異なる。支持プラットフォーム１１上に、収容空間２００に向かって突出するリブが設けられ、上蓋２０と支持プラットフォーム１１とがガイドチャネル１００を成す。この構造は、小型であり、生産コストが低い。
【００５７】
第２の実施形態によれば、上蓋２０の内部側に制限部４０がある。２つのガイドチャネル１００が設けられ、それぞれ制限部４０の２つの側に構成される。ハンドル３０は閉環状ストラップであり、それは制限部４０を取り巻き、また制限部４０によって止めることができる。ハンドル３０の、収容空間２００内に配設される部分がそれぞれ、ガイドチャネル１００内にスライド可能に配設される。制限部４０を設けることにより、ハンドル３０がカップカバー２００から完全に抜け出てしまいかねないという状況が回避される。
【００５８】
第３の実施形態のカップカバーは第１の実施形態とは、カバー本体１０が、支持プラットフォーム１１と、収容空間２００を覆う上蓋２０とを備え、収容空間２００が、支持プラットフォーム１１と上蓋２０との間に位置する、という点で異なる。ガイドチャネル１００は、支持プラットフォーム１１の上部表面上に構成された溝である。上記の構造には、製造コストが比較的低い、という利点がある。実際のところ、当技術分野において知られるように、支持プラットフォーム１１の溝は、後加工製造または射出モデリングによって作製することができる。
【００５９】
第３の実施形態によれば、カップカバーは、収容空間２００内に配設された制限部４０を有する。ハンドル３０は制限部４０を取り巻き、また制限部４０によって止めることができる。
【００６０】
第４の実施形態のカップカバーは第１の実施形態とは、カバー本体１０が、支持プラットフォーム１１と、収容空間２００を覆う上蓋２０とを備え、収容空間２００が、支持プラットフォーム１１と上蓋２０との間に位置する、という点で異なる。ガイドチャネル１００は、上蓋２０の内壁上に構成された溝である。この構造には、製造コストが比較的低い、という利点がある。実際のところ、当技術分野において知られるように、上蓋の内壁上の溝は、後加工製造または射出モデリングによって作製することができる。
【００６１】
第４の実施形態によれば、カップカバーは、収容空間２００内に配設された制限部４０を有する。ハンドル３０は制限部４０を取り巻き、また制限部４０によって止めることができる。
【００６２】
第５の実施形態のカップカバーは第１の実施形態とは、カバー本体１０が、側壁１２と、側壁１２と接続された上蓋２０とを備える、という点で異なる。側壁１２と上蓋２０と支持プラットフォーム１１とが、収容空間２００を成す。上蓋２０は斜面を備え、それは側壁１２の内部側に、斜面と側壁１２との間の対応する位置に溝が形成されるように接続され、ハンドル３０はこの溝から上蓋２０を貫通する。この構造により、ハンドルが溝の内側に隠れることが可能になり、それによって、カップカバーは上下逆さまに置かれてもぐらつかない。
【００６３】
第６の実施形態のカップカバーは第１の実施形態とは、カバー本体１０が、側壁１２と、側壁１２と接続された上蓋２０とを備える、という点で異なる。上蓋２０の上部表面が、面一である。この構造は、簡単に加工できる。
【００６４】
第７の実施形態のカップカバーは第１の実施形態とは、上蓋２０の端縁部が斜面を含み、それは、第５の実施形態のように上蓋２０上に溝を形成せずに、内壁１２の上端部と位置整合および接続される、という点で異なる。この類の構造は、比較的見た目が良い。
【００６５】
第８の実施形態のカップカバーは第１の実施形態とは、環状ストラップが貫通する２つの貫通孔がカップ本体１０の側壁上に構成される、という点で異なる。上記の構造は、環状ストラップによるカップカバーの上表面の凹凸を回避して、カップカバーが上下逆さまに配設されたときにぐらつかないようにすることができる。
【００６６】
第９の実施形態のカップカバーは第１の実施形態とは、環状ストラップが閉構造ではない、という点で異なる。環状ストラップの２つの端部が、収容空間２００内に配設される。環状ストラップの２つの端部には当接構造が設けられ、この当接構造が貫通孔よりも大きく、したがって、これにより環状ストラップが収容空間から抜けてしまうことが回避される。
【００６７】
本出願は、カップカバーとカップ本体とを備えるカップも提供する。カップカバーは、上述した通りであってよい。カップのハンドル３０が、所定の軌道に従って移動することができ、それによって、ハンドルを収容空間２００へ押し込むこと、またはそこから引き出すことが、比較的スムーズになる。
【００６８】
カップカバーの一方の側が、カップ本体と旋回式に接続されてよく、前者とは反対側にあるカップカバーの他方の側が、バックルを用いてカップ本体に接続される。この構造には、カップカバーとカップ本体の組立ての際の効率が高い、という利点がある。
【００６９】
本出願のカップの技術的解決策では、ハンドル３０は、蓋とカップとが旋回式に接続されている側に設けられる。したがって、ハンドルが持ち上げられるとき、蓋とカップとが旋回式に接続されている位置が、比較的強い力を受けることが可能であり、したがって、本出願のカップの耐用寿命が延びる。
【００７０】
図７および図８に示すように、第１０の実施形態のカップカバーは、コップカバー本体１０と、スライダ８０と、ハンドル３０と、弾性リセット部材５０とを含む。カップカバー本体１０内に収容空間２００が設けられる。スライダ８０は、収容空間２００内に配設され、収容空間２００に沿ってスライド可能である。ハンドル３０は、スライダ８０を接続し、カップカバー本体１０を貫通する。弾性リセット部材５０の２つの端部がそれぞれ、スライダ８０およびカップカバー本体１０に接続される。
【００７１】
第１０の実施形態では、カップカバー本体１０の収容空間にハンドル３０が設けられ、したがって使用者は、ハンドル３０を使ってカップカバー（またはカップ）を持ち上げることができ、この過程の間、ハンドル３０は弾性リセット部材５０を圧縮するように力を加え、したがって、収容空間２００の外側に残っているハンドル３０の長さが延ばされ、それにより、使用者がハンドル３０を保持しやすくなる。使用者がハンドル３０を下ろすと、弾性リセット部材５０がハンドル３０に、収容空間２００に後退するように力を加え、ハンドル３０は収容空間２００に後退する。これにより、従来技術のカップカバーのハンドル３０が使用後にカップカバーに自動的に後退することができないという問題を解決することが可能になる。
【００７２】
図８から図１１に示すように、第１０の実施形態では、カップカバー本体１０は、支持プラットフォーム１１と、収容空間２００を囲む上蓋２０とを備え、収容空間２００は、支持プラットフォーム１１と上蓋２０との間にある。カップカバー本体１０は、支持プラットフォーム１１と接続されたガイド部１３をさらに備え、スライダ８０はこのガイド部１３内をスライドする。ガイド部１３の２つの側壁の、支持プラットフォーム１１から離れた端部にそれぞれ、互いに面するガイドブロック１３１がそれぞれ設けられ、ガイドブロック１３１はスライダ８０の上部表面を圧迫する。上記の構造により、取付けおよび保守／修理が容易になる。具体的には、スライダ８０のスライドを可能にするために、ガイド部１３の中心に貫通ガイド溝が設けられ、ガイド部の対向する各側壁の断面が、ライザ（riser）とライザの端部から互いに向かって延びるガイドブロックとを含むＬ形である。第１および第２のライザは、スライダ８０が前方方向、後方方向、左方向、および右方向に飛び出すのを防ぐように構成され、ガイドブロックは、スライダ８０が垂直位置に飛び出すのを防ぐように構成される。上記の構造は、単純であり、かかるコストが低い。両ライザは、垂直に支持プラットフォーム１１に接続され、それぞれ、スライダ８０の対向する側壁のそばにある。
【００７３】
図８から図１１に示すように、第１０の実施形態では、弾性リセット部材５０はばねである。カップカバー本体１０はクラスプ１１１を備える。スライダ８０は、クラスプ１１１と対向して設けられた空洞を備え、ばねの一方の端部がクラスプ１１１を取り巻き、ばねの他方の端部が空洞内に取り付けられる。上記の構造は、ばね構造とカップカバー本体１０との間の協働を助け、また使用中にばね構造が飛び出さず、したがって、弾性リセット部材５０は、使用中により安全で、より安定している。
【００７４】
図８から図１１に示すように、第１０の実施形態では、ハンドル３０は閉環状ストラップであり、スライダ８０は取付けチャネルを有し、環状ストラップは、この取付けチャネルを貫通し、スライダ８０にぶつかって止まることができる。上記の構造により、ハンドル３０とスライダ８０との間の安定した協働が可能になり、したがって、ハンドルはスライダ８０から容易に飛び出さない。収容空間２００にクラスプ部１５が、ハンドル３０がカップカバー本体１０を貫通する場所の付近に設けられる。スライダ８０が環状ストラップの位置を厳密に制御しないとき、ハンドル３０の位置は、ハンドル３０がカップカバー本体１０から飛び出すのを防ぐクラスプ部１５によって制御される。２つの取付けチャネルが、それぞれ、対応するライザに面するスライダ８０の側壁上に位置付けられて、設けられることに留意されたい。各取付けチャネルは、対応する側壁を凹ませることによって形成され、円弧状形状（arcuate shape）を呈する。好ましくは、ハンドル３０の断面が円形であるとき、取付けチャネルの各円弧の対応する直径は、ハンドルのそれに等しい。より好ましくは、対応する取付けチャネルと連通する取付けポート８０４がそれぞれ、スライダ８０の上部表面上の２つの側壁の２つの端部付近に設けられる。ハンドル３０が円形断面を有するとき、各取付けポート８０４の横方向寸法は、ハンドルの直径よりも小さい。このようにして、ハンドル３０は簡単に圧力をかけて取付けポート８０４を通じて取付けチャネルに押し込むことができ、またハンドルは、取付けチャネルおよび取付けポート８０４から脱落しないようになっている。
【００７５】
図８から図１１に示すように、第１０の実施形態では、カップカバー本体１０は、側壁１２と、側壁１２と接続された上蓋２０とを備える。上蓋２０は傾斜表面を備え、それは側壁１４の内部表面に、傾斜表面と側壁１４との間の対応する位置に第２の溝が形成されるように接続され、ハンドル３０はこの第２の溝から上蓋２０を貫通する。上記の構造により、ハンドル３０がカップカバー内に隠れることが可能になり、そのことが使用者を大いに助け、例えば、使用者がカバーを上下逆さの向きに載置する必要があるとき、カップカバーの平坦な裏面が、安定した載置を確実なものにすることができる。
【００７６】
第１１の実施形態のカップカバーは第１０の実施形態のそれとは、カップカバー本体１０が、支持プラットフォーム１１と、収容空間２００を囲む上蓋２０とを含み、収容空間２００が、支持プラットフォーム１１と上蓋２０との間にある、という点で異なる。カップカバー本体１０は、上蓋２０と接続されたガイド部１３を含む。ガイド部１３に、その両端部間に及ぶガイド溝が設けられ、スライダ８０はこのガイド溝内をスライドする。上蓋２０の内壁内に設けられたこの構造により、支持プラットフォーム１１におけるより単純な機構が可能になり、また支持プラットフォーム１１の加工が容易になる。
【００７７】
第１２のカップカバーは第１０の実施形態のそれとは、カップカバー本体１０がガイド部１３をさらに備え、ガイド部１３が、カップカバー本体１０の側壁１２を内向きに拡張することによって形成されたリブであり、スライダ８０の側壁にこのリブと合致する第１の溝が設けられ、スライダ８０がこのリブに沿ってスライドする、という点で異なる。上記の構造により、支持プラットフォーム１１および上蓋１２の構造が比較的単純になり、それによって、支持プラットフォーム１１および上蓋２０は比較的簡単に加工できるようになる。
【００７８】
第１３の実施形態のカップカバーは第１０の実施形態のそれとは、カップカバー本体１０が、支持プラットフォーム１１と、収容空間２００を囲む上蓋２０とを備え、収容空間２００が、支持プラットフォーム１１と上蓋２０との間にある、という点で異なる。カップカバー本体１０は、支持プラットフォーム１１の上部表面上または上蓋の内壁上に形成された突出ガイドウェイであるガイド部１３をさらに備える。突出ガイドウェイと合致するガイド溝が、スライダ８０の底部表面または上部表面上に形成され、スライダ８０はこの突出ガイドウェイに沿ってスライドする。このようにして、上蓋２０およびカップカバー本体１０の側壁が比較的単純になり、それによって、上蓋１２およびカップカバー本体１０は比較的簡単に加工できるようになる。
【００７９】
第１４の実施形態のカップカバーは第１０の実施形態のそれとは、カップカバー本体１０が、側壁１２と、側壁１２と接続された上蓋２０とを備える、という点で異なる。上蓋２０の上部表面が平坦表面であり、それにより、上蓋２０の加工が容易になり得る。
【００８０】
第１５の実施形態のカップカバーは第１０の実施形態のそれとは、上蓋２０の端縁部が傾斜表面を備え、それが側壁１２の上端部と位置整合および接続される、という点で異なる。上記の構造により、カップカバーがより美的になる。
【００８１】
第１６の実施形態のカップカバーは第１０の実施形態１のそれとは、カップカバー本体１０の側壁１２からハンドルが貫通する、という点で異なる。
【００８２】
本出願は、カップ本体とカップカバーとを備えるカップも提供する。カップカバーは、上述したカップカバーとすることができる。このカップには、簡単に持ち上げることができ、カップのハンドルが、ハンドルが使用中ではないときにカップカバーに自動的に後退することができる、という利点がある。
【００８３】
図１２および図１３に示すように、第１７の実施形態のカップカバーは、カップカバー本体１０と、スライダ８０と、ハンドル３０とを含む。カップカバー本体１０に、スライドウェイ、およびスライドウェイと連通する長孔６１が設けられる。スライダ８０は、カップカバー本体１０内に配設され、スライドウェイに沿ってスライド可能である。スライダ８０は、長孔６１を貫通して、カップカバー本体１０から少なくとも部分的に露出する。スライドウェイと連通するハンドル通路も、カップカバー本体上に構成され、ハンドル３０の第１の端部がスライダ８０と接続され、ハンドルの第２の端部が、ハンドル通路を貫通した後にカップカバー本体１０から露出する。
【００８４】
第１７の実施形態では、ハンドル３０の第２の端部が、ハンドル通路を貫通した後にカップカバー本体１０から露出し、それによって、使用者はハンドル３０を容易に手に取り、または戻すことができるようになっている。ハンドルを使用してカップカバーまたはカップを持ち上げるとき、使用者がハンドル３０を持ち上げると、次いでカップカバーまたはカップが、重力の作用下で、スライダ８０をスライドに沿って長孔６１内をスライドさせる。スライダ８０が長孔６１の端部に達すると、カップカバー本体１０がスライダ８０を止めることができる。使用後、使用者はスライダ８０の、カップカバー本体１０から露出した部分を使用して、スライダを長孔６１の他方の端部まで押すことができる。長孔６１の２つの端部は、スライダ８０の制限を通じて、ハンドル３０がハンドル通路から引き延ばされる長さまたはハンドル通路に後退する長さを制限することができる。これにより、従来技術のカップカバーのハンドル構造が複雑かつ加工が困難であるという問題を解決することが可能になる。
【００８５】
図１３〜図１５に示すように、第１７の実施形態では、スライドウェイは長孔６１よりも幅広い。スライドウェイと長孔６１とを組み合わせた断面が逆「Ｔ」形を成す。スライダ８０は「Ｔ」形のものである。スライダは、スライドウェイにスライド可能にはめ込まれる第１のストッパセクション８０１と、第１のストッパセクション８０１と接続された接続セクション８０３とを含み、接続セクション８０３は、長孔６１を貫通した後にカップカバー本体１０の上部表面から露出する。ハンドル３０は、使用しないとき、接続セクション８０３の、第１のストッパセクション８０１から離れた端部を引いて動かすことによって、カップカバー本体１０に後退するものとする。
【００８６】
図１３〜図１５に示すように、第１７の実施形態では、接続セクション８０３の、第１のストッパセクション８０１から離れた端部のところに、第２のストッパセクション８０２が設けられる。第２のストッパセクション８０２の下端表面が、カップカバー本体１０の上部表面と接触し、スライダ８０と一緒にカップカバー本体１０の上部表面に沿ってスライドすることができる。第２のストッパセクション８０２を設けることにより、一方では、カップカバーがより美しくなり、他方では、把持が容易になり、操作上の労力が軽減する。具体的には、第２のストッパセクション８０２は、円形形状のものであり、第２のストッパセクション８０２の下表面が円弧状である。円形形状の外縁部が、比較的低くなっており、カップカバー本体１０の上部表面と接触する。長孔６１が、カップカバー本体１０の上部表面上にあり、逆円錐を成すように外向きに傾斜して延び、したがって、第２のストッパセクション８０２が接触中にカップカバー本体１０の上部表面と干渉する可能性は低い。
【００８７】
図１２〜図１５に示すように、第１７の実施形態では、長孔６１は、カップカバー本体１０の上部表面を貫通する。上述した構造は、かかる加工コストが低く、簡単に操作できる。
【００８８】
図１２〜図１５に示すように、第１７の実施形態では、カップカバー本体１０は、上蓋２０と支持プレートとを備える。長孔６１は、上蓋２０上に構成され、上蓋２０の上部表面を貫通する。上蓋２０の、長孔６１に沿った両側壁が、内向きにカップカバー本体１０に向かって曲がり、延びて２本の止めアーム２０１を成す。支持プレートは、この２本の止めアーム２０１に取り外し可能に固定され、支持プレートと２本の止めアーム２０１とがスライドウェイを成す。支持プレートを設けることにより、スライダ８０の取付けが容易になり得る。止めアーム２０１を設けることが、スライダ８０を止める助けとなり得る。加えて、止めアーム２０１は、簡単に加工でき、かかる製造コストが比較的低い。
【００８９】
図１２〜図１５に示すように、第１７の実施形態では、カップカバー本体１０は、上蓋２０に接続された側壁１２も含み、ハンドル通路はこの側壁１２を貫通する。上記の構造により、ハンドル３０の操作がより容易になる。具体的には、ハンドル３０は、シリコーン材料製の平坦環状構造である。ハンドル３０内に２つの貫通孔が隣接して構成され、ハンドル３０を折り畳んだ後に、それらは位置整合されて、スライダ８０内に取り巻かれ得る。ハンドルは、折り畳んでスライドウェイおよびハンドル通路を連続して貫通した後に、カップカバー本体１０から露出し、２つの貫通孔は、折り畳んだ後に位置整合され、２つの貫通孔のある端部がハンドル３０の第１の端部であり、他方の端部がハンドル３０の第２の端部である。上記の構造のハンドル３０は、比較的長い耐用寿命を有し、貫通孔の一方が損傷を受けたときでさえ使用することができる。具体的には、本実施形態では、上蓋２０が、上で説明したカップカバー本体１０の上部表面を成す。
【００９０】
第１８の実施形態のカップカバーは第１７の実施形態とは、スライドウェイの断面が逆「Ｔ」形のものである、という点で異なる。スライドウェイと長孔６１とを組み合わせた断面が「工」形のものであり、スライドウェイは、より小さな幅をもつ垂直部を含み、垂直部は、長孔と接続され、スライドウェイの上端部のところにあり、すなわち垂直部は、スライドウェイのより小さなサイズをもつ上部である。スライダ８０の両側方表面がスライド溝を有し、スライド溝は、スライドウェイのより小さなサイズをもつ上部とスライド可能に係合され、スライダ８０の上部表面が長孔６１内に収容される。「工」構造により、カップカバー本体１０の上部表面がスライダ８０の止め部を成すことが可能になり、それによって、使用者にとって使いやすくなる。
【００９１】
図１２および図１３に示すように、第１８の実施形態のカップカバーは、カップカバー本体１０と、スライダ８０と、ハンドル３０とを含む。カップカバー本体１０に、スライドウェイ、およびスライドウェイと連通する長孔６１が設けられる。スライダ８０は、カップカバー本体１０内に配設され、スライドウェイに沿ってスライド可能であり、スライダ８０は、長孔６１を貫通して、カップカバー本体１０から少なくとも部分的に露出する。スライドウェイと連通するハンドル通路も、カップカバー本体内に構成され、ハンドル３０の第１の端部がスライダ８０と接続され、ハンドルの第２の端部が、ハンドル通路を貫通した後にカップカバー本体１０から露出する。
【００９２】
第１８の実施形態では、ハンドル３０の第２の端部が、ハンドル通路を貫通した後にカップカバー本体１０から露出し、それによって、使用者はハンドル３０を容易に手に取り、または戻すことができるようになっている。ハンドルを使用してカップカバーまたはカップを持ち上げるとき、使用者がハンドル３０を持ち上げると、次いでカップカバーまたはカップが、重力の作用下で、スライダ８０をスライドウェイに沿って長孔６１内をスライドさせる。スライダ８０が長孔６１の端部に達すると、カップカバー本体１０がスライダ８０を止めることができる。使用後、使用者はカップカバー本体１０から露出した部分を使用して、スライダ８０を長孔１１の他方の端部まで押すことができる。スライダ８０およびハンドル３０のみが上記の機能を達成するために必要である。これにより、従来技術の既存のカップカバーのハンドル構造が複雑かつ加工が困難であるという問題を解決することが可能になる。
【００９３】
第１９の実施形態のカップカバーは第１７の実施形態とは、ハンドル３０が平坦シート形状のものである、という点で異なる。ハンドル３０の第１の端部内に貫通孔が構成され、貫通孔はスライダ８０内に取り巻かれる。ハンドル３０の第２の端部内にカラーが構成される。上述した構造は、簡単に加工でき、かかる製造コストが低い。
【００９４】
第１９の実施形態のカップカバーは、カップカバー本体１０と、スライダ８０と、ハンドル３０とを含む。カップカバー本体１０に、スライドウェイ、およびスライドウェイと連通する長孔６１が設けられる。スライダ８０は、カップカバー本体１０内に配設され、スライドウェイに沿ってスライド可能である。スライダ８０は、長孔１１を貫通して、カップカバー本体１０から少なくとも部分的に露出する。スライドウェイと連通するハンドル通路も、カップカバー本体内に構成され、ハンドル３０の第１の端部がスライダ８０と接続され、ハンドルの第２の端部が、ハンドル通路を貫通した後にカップカバー本体１０から露出する。
【００９５】
第１９の実施形態では、ハンドル３０の第２の端部が、ハンドル通路を貫通した後にカップカバー本体１０から露出し、それによって、使用者はハンドル３０を容易に手に取り、または戻すことができるようになっている。ハンドルを使用してカップカバーまたはカップを持ち上げるとき、使用者がハンドル３０を持ち上げると、次いでカップカバーまたはカップが、重力の作用下で、スライダ８０をスライドウェイに沿って長孔６１内をスライドさせる。スライダ８０が長孔６１の端部に達すると、カップカバー本体１０がスライダ８０を止めることができる。使用後、使用者はスライダ８０の、カップカバー本体１０から露出した部分を、長孔６１の他方の端部まで押すことができる。スライダ８０およびハンドル３０のみが上記の機能を達成するために必要である。これにより、従来技術の既存のカップカバーのハンドル構造が複雑かつ加工が困難であるという問題を解決することが可能になる。
【００９６】
第１９の実施形態では、スライドウェイは長孔６１よりも幅広い。スライドウェイと長孔６１とを組み合わせた断面が逆「Ｔ」形を成す。スライダ８０は「Ｔ」形のものであり、スライドウェイにスライド可能にはめ込まれる第１のストッパセクション８０１と、第１のストッパセクション８０１と接続された接続セクション８０３とを含む。接続セクション８０３は、長孔６１を貫通した後にカップカバー本体１０の上部表面から露出する。ハンドル３０は、使用しないとき、接続セクション８０３の、第１のストッパセクション８０１から離れた端部を引いて動かすことによって、カップカバー本体１０に後退させることができる。
【００９７】
第１９の実施形態では、接続セクション８０３の、第１のストッパセクション８０１から離れた端部のところに、第２のストッパセクション８０２が設けられ、第２のストッパセクション８０２の下端表面が、カップカバー本体１０の上部表面と接触し、カップカバー本体１０の上部表面に沿ってスライドすることができる。第２のストッパセクション８０２を設けることにより、一方では、カップカバーがより美しくなり、他方では、把持が容易になり、操作上の労力が軽減する。具体的には、第２のストッパセクション８０２は、円形形状のものであり、第２のストッパセクション８０２の下表面が円弧状である。円形形状の外縁部が、比較的低くなっており、カップカバー本体１０の上部表面と接触し、カップカバー本体１０の上部表面が、逆円錐形状のものであり、したがって、第２のストッパセクション８０２が接触中にカップカバー本体１０の上部表面と干渉する可能性は低い。
【００９８】
第１９の実施形態の技術的解決策では、長孔６１は、カップカバー本体１０の上部表面を貫通する。上述した構造は、かかる加工コストが低く、簡単に操作できる。
【００９９】
第１９の実施形態では、カップカバー本体１０は、上蓋２０と支持プレートとを備える。長孔６１は、上蓋２０上に構成され、上蓋２０の上部表面を貫通する。上蓋２０の、長孔６１に沿った２つの側壁が、内向きにカップカバー本体１０に向かって曲がり、延びて２本の止めアーム２０１を成す。支持プレートは、この２本の止めアーム２０１に取り外し可能に固定され、支持プレートと止めアーム２０１とがスライドウェイを成す。支持プレートを設けることにより、スライダ８０の取付けが容易になり得る。止めアーム２０１を設けることが、スライダ８０を止める助けとなり得る。加えて、止めアーム２０１は、簡単に加工でき、かかる製造コストが低い。
【０１００】
本発明は、カップ本体とカップカバーとを備えるカップも提供する。カップカバーは、上述した通りである。上記の構造をもつカップカバーは、簡単に使用でき、かかる加工コストが比較的低い。
【０１０１】
本明細書で使用される用語は、特定の実施形態について説明するためのものにすぎず、本明細書で扱う用途に従ってそれらの実施形態を制限するようには意図されておらず、文脈上明らかに指示する場合を除き、単数形は複数形を含むことが意図される、ということに留意されたく、また本説明において「備える」および／または「含む」という用語が使用されるとき、可能な特徴、ステップ、動作、デバイス、構成要素、および／またはそれらの組合せが指示される、ということを理解されたい。
【０１０２】
本発明の説明および特許請求の範囲、ならびに上記の添付図面における「第１の」、「第２の」などという用語は、類似の対象物を区別するためのものであり、必ずしも特定の順序または順番について説明するためのものではないことに留意されたい。こうして使用されるデータは、必要に応じて交換可能であり、したがって、本明細書で説明した本発明の実施形態は、例えば、本明細書で図示または説明したもの以外の順番で実施することができる、ということを理解されたい。加えて、「含む」および「備える」という用語、ならびにその任意の変形は、非排他的包含をカバーすることが意図されており、例えば、一連のステップまたはユニットを含むプロセス、方法、システム、製品、またはデバイスは、本明細書に列記したステップまたはユニットに必ず限定されるのではなく、明確に列記していない、またはこのプロセス、方法、システム、製品、もしくはデバイスに固有の、他のステップまたはユニットを含んでよい。
【０１０３】
上記は、本発明の好ましい実施形態にすぎず、本発明を限定するようには意図されていない。本発明は、当業者によって変形および変更されてよい。本発明の趣旨および原理に含まれる任意の修正形態、等価物、改善点などは、本発明の保護範囲内に含まれることが意図される。
【図１】
2020513381.tif 000003
【図２】
2020513381.tif 000004
【図３】
2020513381.tif 000005
【図４】
2020513381.tif 000006
【図５】
2020513381.tif 000007
【図６】
2020513381.tif 000008
【図７】
2020513381.tif 000009
【図８】
2020513381.tif 000010
【図９】
2020513381.tif 000011
【図１０】
2020513381.tif 000012
【図１１】
2020513381.tif 000013
【図１２】
2020513381.tif 000014
【図１３】
2020513381.tif 000015
【図１４】
2020513381.tif 000016
【図１５】
2020513381.tif 000017
【国際調査報告】
2020513381.tif 000018
2020513381.tif 000019